(57)【要約】【目的】  本発明は、スーパーマーケット又は食品スーパー，フードセンター等において、店内に設置された冷凍・冷蔵ショーケースの客側の足元に置く結露水吸水用帯体であって、冷凍・冷蔵ショーケースの客側に漏出する結露水を良好に吸水しつつ、処理も簡易にできること。【構成】  吸水紙２，２，…を多数重ねて、断面方形状で約数ｃｍ乃至約１０ｃｍ程度の高さ及び横幅を備えると共に、長手方向が数十ｃｍ乃至約１ｍ内外程度である紙重ね帯状本体１であること。該紙重ね帯状本体１の長手方向の両端寄りに縛り部３，３が設けられてなること。【選択図】      図１
2017118981.tif 000002
【特許請求の範囲】
【請求項１】
吸水紙を多数重ねて、断面方形状で約数ｃｍ乃至約１０ｃｍ程度の高さ及び横幅を備えると共に、長手方向が数十ｃｍ乃至約１ｍ内外程度である紙重ね帯状本体であって、該紙重ね帯状本体の長手方向の両端寄りに縛り部が設けられてなることを特徴とする結露水吸水用帯体。
【請求項２】
請求項１において、前記吸水紙は、上下方向に多数枚が折り重ね状態にされてなることを特徴とする結露水吸水用帯体。
【請求項３】
請求項１において、前記吸水紙は、左右方向に多数枚が折り重ね状態にされてなることを特徴とする結露水吸水用帯体。
【請求項４】
請求項３において、前記紙重ね帯状本体を縛る縛り部において、上方位置側を強力に縛り、断面台形状を成すようにしてなることを特徴とする結露水吸水用帯体。
【請求項５】
請求項１，２，３又は４の何れか１項記載の結露水吸水用帯体において、前記吸水紙は、クレープ紙，更紙，薄葉紙，衛生紙，新聞紙，雑種紙又は特殊紙等から構成されていると共に、厚みは約８０μm 〜約６００μmを成すことを特徴とする結露水吸水用帯体。
【発明の詳細な説明】
【技術分野】
【０００１】
本発明は、スーパーマーケット又は食品スーパー，フードセンター等において、その店内に設置された冷凍・冷蔵ショーケースの客側の足元に置いて、冷凍・冷蔵ショーケースの客側に漏出する結露水を良好に吸水しつつ、処理も簡易にできる結露水吸水用帯体に関する。  
【背景技術】
【０００２】
スーパーマーケット又は食品スーパー，フードセンター等において、店内に設置された冷凍・冷蔵ショーケースの客側の足元等に、結露水が漏出していることが近時多く見られている。酷い場合には、水たまり状になっていることもあった。このような状況になるのは、冷凍・冷蔵ショーケースの冷凍・冷蔵機による動作にての結露水が冷凍・冷蔵ショーケースの外部に漏出するものである。
【０００３】
そこで、近似においては、かかる結露水による漏水防止構造を備えた冷凍・冷蔵機能を有するショーケースが引用文献１として開発されている。このことは、一般的な冷凍・冷蔵ショーケースでは、冷凍・冷蔵ショーケースの客側の足元に、結露水が漂っていることが多いのが現状である。これでは、幼児や老人などが、つまづいて怪我をすることもあり、危険が状況であった。特許文献としては、存在しないが、単に丸棒状の吸水体が備えられている現状である。
【先行技術文献】
【特許文献】
【０００４】
【特許文献１】特開２００７−７５３３４号公報
【発明の概要】
【発明が解決しようとする課題】
【０００５】
このため、本発明が解決しようとする課題（技術的課題又は目的等）は、冷凍・冷蔵ショーケースにおいて、客の足元に、結露水が漏出していても、結露水を溜めないような装置又は用具等であって、さらには、幼児や老人などが、つまづいて怪我をすることを回避できると共に、使用後においては、その廃棄処理も簡単にできるものが望まれており、これを実現することである。
【課題を解決するための手段】
【０００６】
そこで、発明者は上記課題を解決すべく鋭意，研究を重ねた結果、請求項１の発明を、吸水紙を多数重ねて、断面方形状で約数ｃｍ乃至約１０ｃｍ程度の高さ及び横幅を備えると共に、長手方向が数十ｃｍ乃至約１ｍ内外程度である紙重ね帯状本体であって、該紙重ね帯状本体の長手方向の両端寄りに縛り部が設けられてなることを特徴とする結露水吸水用帯体としたことにより、前記課題を解決した。
【０００７】
請求項２の発明を、請求項１において、前記吸水紙は、上下方向に多数枚が折り重ね状態にされてなることを特徴とする結露水吸水用帯体としたことにより、前記課題を解決した。請求項３の発明を、請求項１において、前記吸水紙は、左右方向に多数枚が折り重ね状態にされてなることを特徴とする結露水吸水用帯体としたことにより、前記課題を解決した。
【０００８】
請求項４の発明を、請求項３において、前記紙重ね帯状本体を縛る縛り部において、上方位置側を強力に縛り、断面台形状を成すようにしてなることを特徴とする結露水吸水用帯体としたことにより、前記課題を解決した。請求項５の発明を、請求項１，２，３又は４の何れか１項記載の結露水吸水用帯体において、前記吸水紙は、クレープ紙，更紙，薄葉紙，衛生紙，新聞紙，雑種紙又は特殊紙等から構成されていると共に、厚みは約８０μm 〜約６００μmを成すことを特徴とする結露水吸水用帯体としたことにより、前記課題を解決したものである。
【発明の効果】
【０００９】
請求項１の発明においては、冷凍・冷蔵ショーケースの客の足元に、結露水が漏出していても、断面方形状であるため、安定した設置ができると共に、その場所の結露水を良好に吸水して結露水を溜めないようにでき、さらには、幼児や老人などが、つまづいて怪我をすることを回避できると共に、使用後においては、水の重さは加わるが濡れたというだけであり紙材（燃えるゴミ）として廃棄するのみであり、廃棄処理も簡単にできる。
【００１０】
請求項２の発明では、上下方向に多数枚が折り重ね状態にされてなるため、安定した設置ができる。請求項３の発明では、吸水紙として、左右方向に多数枚が折り重ね状態にされてなるため、請求項２の場合とは異なり、上下方向に対する隙間が多数となり、吸水を保有する箇所が多くになり、吸水効率を上昇させ得る利点がある。
【００１１】
請求項４の発明においては、請求項３において、前記紙重ね帯状本体を縛る縛り部において、上方位置側を強力に縛り、断面台形状を成すようにしてなるため、下側の隙間が大きいために、この隙間内に、結露水が、前記上側隙間よりも保水力に優れ、より多くの結露水を溜めることができる。これによって、優れた結露水吸水用帯体が提供できる利点がある。さらには、下側が広いことから安定した設置ができる。
【図面の簡単な説明】
【００１２】
【図１】(Ａ)は本発明の第１実施形態の全体斜視図、(Ｂ)は縛り部箇所でのＹ１−Ｙ１矢視拡大断面図、（Ｃ）は（Ｂ）の要部の拡大断面図である。
【図２】(Ａ)は本発明の第２実施形態の全体斜視図、(Ｂ)は縛り部箇所でのＹ２−Ｙ２矢視拡大断面図、（Ｃ）は縛り部なる目地テープにて縛り始めた状態拡大断面図、（Ｄ）は特に一側のみに引き力を増大させつつ縛り部を完了させた状態拡大断面図である。
【図３】冷凍・冷蔵ショーケースの客側の足元箇所に本発明品を配置した状態図である。
【図４】(Ａ)は本発明の第１実施形態として断面方形状で左右方向に折り重ねた紙重ね帯状本体の断面図、(Ｂ)は（Ａ）の（α）部拡大断面図、(Ｃ)は本発明の第２実施形態で左右方向に折り重ねた紙重ね帯状本体の紙重ね帯状本体の断面図、(Ｄ)は（Ｃ）の（β）部拡大断面図である。
【図５】（Ａ）は第１実施形態として断面方形状で上下方向に折り重ねた紙重ね帯状本体の断面図、（Ｂ）は第１実施形態として断面方形状で左右方向に折り重ねた紙重ね帯状本体の断面図、（Ｃ）は第２実施形態として断面台形状で左右方向に折り重ねた紙重ね帯状本体の断面図である。
【図６】（Ａ）は三つ折りした吸水紙の斜視図、（Ｂ）は五つ折りした吸水紙の斜視図、（Ｃ）は八つ折りした吸水紙の斜視図である。
【発明を実施するための形態】
【００１３】
以下、本発明の実施形態について図面に基づいて説明すると、図１乃至図２は本発明の第１実施形態及び第２実施形態が記載されている。紙重ね帯状本体１は、長手方向に長い多数枚が折り重ねられた吸水紙２，２，…と、その長手方向の両端が縛られている縛り部３とから構成されている。
【００１４】
前記吸水紙２としては、クレープ紙，更紙，薄葉紙，衛生紙，新聞紙，雑種紙又は特殊紙等から構成されている。さらに、パルプ不織布や高分子吸収体を含有したシートであっても、吸水できれば、吸水紙２の範囲に包含されるものである。その厚みは約８０(薄紙)〜約６００μm(厚めに加えてエンボス加工)が範囲として想定される。
【００１５】
前記紙重ね帯状本体１の長手方向の長さは、約１ｍ内外程度を備えている。具体的には、約９０ｃｍも、約１．２ｍの場合もあり、この場合であっても、約１ｍ内外程度の範囲内である。その長手方向の両端には、環状の前記縛り部３，３にて結束されている。該縛り部３は、目地テープが使用されることが多い。縛りができれば、輪ゴムやＰＰバンド（ポリプロピレンバンド）もよく、目地テープには限定されない。なお、断面台形状に構成するには、前記目地テープが好適である。
【００１６】
前記吸水紙２の具体的な形状としては、二つ折りが一般であるが、図６（Ａ）に示すように、三つ折り（Ｚ折り）の吸水紙２にしたり、図６（Ｂ）に示すように、五つ折りの吸水紙２にしたり、或いは、図６（Ｃ）に示すように、八つ折りの吸水紙２の構成にすることもある。また、このような形状に限定されることなく、他の折り形にすることもあり、折り数に限定されない。
【００１７】
本発明の実施形態は、複数が存在している。その第１実施形態では、断面が方形状を成している。前記紙重ね帯状本体１の吸水紙２，２，…は、図１（Ａ）及び（Ｂ）に示すように、上下方向に[図１（Ａ）等参照]互い違いに折返し状となって重ねられている。つまり、＜状に折り返された吸水紙２に、＞状に折り返された吸水紙２が上側又は下側に順次多数枚が重ねられて、高さが約数ｃｍ乃至約１０ｃｍ程度に構成されている。この横幅も約数ｃｍ乃至約１０ｃｍ程度を成しているこの大きさは、これより約５割内外適宜大きく形成することもある。
【００１８】
第１実施形態の変形例は、前記紙重ね帯状本体１の吸水紙２，２，…は、図５（Ｂ）に示すように、左右方向に互い違いに折返し状となって重ねられている。つまり、＜状に折り返された吸水紙２に、＞状に折り返された吸水紙２が右側又は左側に順次多数枚が重ねられて、高さが約数ｃｍ乃至約１０ｃｍ程度に構成されている。この横幅も約数ｃｍ乃至約１０ｃｍ程度を成している。この場合も適宜大きくすることがある。
【００１９】
その第２実施形態では、前記紙重ね帯状本体１の吸水紙２，２，…は、図２（Ａ）及び（Ｂ）に示すように、左右方向に互い違いに折返し状となって重ねられ、断面が台形状を成している。つまり、＜状に折り返された吸水紙２に、＞状に折り返された吸水紙２が右側又は左側に順次多数枚が重ねられて、高さが約数ｃｍ乃至約１０ｃｍ程度に構成されている。この横幅も約数ｃｍ乃至約１０ｃｍ程度を成している。この場合も適宜大きくすることがある。
【００２０】
このように、断面台形状に成形するには、前記縛り部３の目地テープを、図２（Ｃ）から（Ｄ）に示すようにして仕上げる。さらに、具体的には、図２（Ｃ）に示すように、前記縛り部３の目地テープを、一部のみを残して通常の引張り力にて回し、図２（Ｄ）に示すように、最後にかなり強力な引張り力Ｐにて引き、この状態にて縛りを仕上げる。この場合の目地テープは、弾力性に富むことが好適である。
【００２１】
図１（Ａ）に示す第１実施形態の本発明品を、冷凍・冷蔵ショーケース５の前面の設置した場合には（図３参照）、その箇所の結露水によって、下方側から吸水されて、その全体までも吸水され、その箇所を通る幼児及び老人等であっても、その箇所の結露水にて、滑って転んだり、つまずいたりする危険を回避できる利点がある。
【００２２】
特に、本発明品に、結露水が充満した場合には、これ自体を普通ゴミとして容易に廃棄することができる。特に、図４（Ｃ）に示す第２実施形態の本発明品を、冷凍・冷蔵ショーケース５の前面の設置した場合には（図３参照）、その紙重ね帯状本体１の吸水紙２の断面において、台形状を成していると、その折り目間の隙間が、上側隙間Ｓと下側隙間Ｌにおいて、
2017118981.tif 000003
なる関係が生ずることになる。図４では、かなり拡大して書いているが、実際には、隙間Ｌで約１ｍｍ内外である。
【００２３】
すると、下側の隙間Ｌが大きいために、この隙間Ｌ内に、結露水が、前記隙間Ｓよりも保水力に優れ、より多くの結露水を溜めることができる。これによって、優れた結露水吸水用帯体が提供できる利点がある。このようにして、冷凍・冷蔵ショーケース５の前箇所において、ここを通る幼児及び老人等であっても、結露水で、滑って転んだり、つまずいたりする危険を回避できるものである。
【００２４】
ここで、保水力関連としてまとめておく。図５（Ａ）では、本発明の第１実施形態（請求項２の発明）の吸水紙２，２，…が上下方向に多数枚が折り重ね状態にされた断面であり、図５（Ｂ）では、本発明の第１実施形態（請求項３の発明）の吸水紙２，２，…が左右方向に多数枚が折り重ね状態にされた断面である。さらに、図５（Ｃ）では、本発明の第２実施形態（請求項４の発明）の吸水紙２，２，…が左右方向に多数枚が折り重ね状態にされた断面台形状に構成されている。
【００２５】
図５（Ａ）では、地面の結露水が上側に表面張力を介して伝わりにいが保水量は、ある程度の量は保有できる。図５（Ｂ）では、地面の結露水が上下方向の隙間を介して上側に早急なる表面張力を介して早期に浸み込みつつ保水力も十分に保有できる。
【００２６】
図５（Ｃ）では、地面の結露水が上下方向の隙間を介して上側に早急なる表面張力を介して浸み込みつつ、前述したように、下側隙間Ｌが上側隙間Ｓよりも大きいことから、図５（Ｂ）よりも結露水をより溜めることができ保水力を十分にできる。さらには、前述したように、下側が広く、安定した設置ができるものである。
【産業上の利用可能性】
【００２７】
本発明は、冷凍・冷蔵ショーケース５の前面の設置して、その前面箇所に発生する結露水を吸収して、その箇所を通る幼児及び老人等に対する危険防止を図ることを目的・効果としたものとして説明したが、店舗内に、外部から流入すると仮定すると、雨水等に対して、簡易な防水堤としての役割を成すものでもあり、産業上の利用可能性が極めて高いものである。
【符号の説明】
【００２８】
１…紙重ね帯状本体、２…吸水紙、３…縛り部。
【図１】
2017118981.tif 000004
【図２】
2017118981.tif 000005
【図３】
2017118981.tif 000006
【図４】
2017118981.tif 000007
【図５】
2017118981.tif 000008
【図６】
2017118981.tif 000009